(57)【要約】      （修正有）【課題】携帯端末の保護を万全に行えると共に、携帯端末にフィットして嵩張らないスタイリッシュな形状であり、また、携帯端末の操作や着脱を容易に行える携帯端末ケースを提供する。【解決手段】携帯端末を収納するケースであって、携帯端末のディスプレイが配置される面の中央部１１で、携帯端末設置片１２とカバー片１３との２片に２つ折り可能なシート１０を備え、２つ折りされたシート１２の間の収納部３０に携帯端末を保持可能であり、カバー片１３に、携帯端末の主操作ボタンの位置を示す目印１４と、携帯端末のディスプレイを閲覧可能にする透明部１５と、携帯端末における電話の発着信を操作するボタンを露出させる切り欠け１６とを具備する。切り欠け１６の代わりに、電話の発着信を操作するボタンを閲覧及び操作可能にする透明部を設けてもよい。【選択図】図１
0003197476.tif 000002
【実用新案登録請求の範囲】
【請求項１】
携帯端末を収納するケースであって、
携帯端末のディスプレイが配置される面の中央部で、携帯端末設置片とカバー片との２片に２つ折り可能なシートを備え、
２つ折りされたシートの間の収納部に携帯端末を保持可能であり、
カバー片に、携帯端末の主操作ボタンに呼応する指示体と、携帯端末のディスプレイを閲覧可能にする透明部と、携帯端末における電話の発着信を操作するボタンを露出させる切り欠けとを具備する
ことを特徴とする携帯端末ケース。
【請求項２】
携帯端末を収納するケースであって、
携帯端末のディスプレイが配置される面の中央部で、携帯端末設置片とカバー片との２片に２つ折り可能なシートを備え、
２つ折りされたシートの間の収納部に携帯端末を保持可能であり、
カバー片に、携帯端末の主操作ボタンに呼応する指示体と、携帯端末のディスプレイを閲覧可能にする透明部と、携帯端末における電話の発着信を操作するボタンを閲覧及び操作可能にする透明部とを具備する
ことを特徴とする携帯端末ケース。
【請求項３】
収納部が、携帯端末の側面を嵌合させる突条を周縁に備えると共に上部が開口した容器状である
請求項１または２に記載の携帯端末ケース。
【請求項４】
収納部が、携帯端末を貼り付ける非移行性の接着剤の塗布体である
請求項１または２に記載の携帯端末ケース。
【請求項５】
携帯端末設置片とカバー片のいずれか一方の側部端部に、舌片を備えると共に、携帯端末設置片とカバー片のいずれか他方の側部端部に、舌片を係止する舌片係止部を備え、
舌片の折り曲げに伴う舌片と舌片係止部との係合によって、２つ折りされたシートを閉鎖可能である
請求項１ないし４のいずれかに記載の携帯端末ケース。
【考案の詳細な説明】
【技術分野】
【０００１】
本考案は、携帯端末を収納するケースに関する。
【背景技術】
【０００２】
スマートフォンなどの携帯端末の普及に伴い、それを収納するケースの需要も高まっている。
従来のケースとしては、特許文献１のように、携帯端末を嵌合させて、ディスプレイ面のみを露出させる容器状のものや、特許文献２〜５のように、携帯端末を収納させる袋状のものがある。
【０００３】
しかし、単に携帯端末を嵌合させ容器状のケースでは、ディスプレイ面などの保護は万全でなく、また、袋状のケースでは、携帯端末の使用や出し入れが便利でなかったり、嵩張るなどの難点があった。
【先行技術文献】
【特許文献】
【０００４】
【特許文献１】特開２００８−５４１３３「電子機器の外装ケース」
【特許文献２】特開２００７−４７３３「財布及びバッグ」
【特許文献３】特開２００４−５７３７３「折畳み携帯電話器用キャリーケース」
【特許文献４】実用新案登録第３１５０６７１号「折畳み携帯電話機用ケース」
【特許文献５】実用新案登録第３０６０８２１号「携帯電話ケ―ス」
【考案の概要】
【考案が解決しようとする課題】
【０００５】
そこで、本考案は、携帯端末の保護を万全に行えると共に、携帯端末にフィットして嵩張らないスタイリッシュな形状であり、また、携帯端末の操作や着脱を容易に行えるケースを提供することを課題とする。
【課題を解決するための手段】
【０００６】
上記課題を達成するため、本考案の携帯端末ケースは、次の構成を備える。すなわち、携帯端末を収納するケースであって、携帯端末のディスプレイが配置される面の中央部で、携帯端末設置片とカバー片との２片に２つ折り可能なシートを備え、２つ折りされたシートの間の収納部に携帯端末を保持可能であり、カバー片に、携帯端末の主操作ボタンに呼応する指示体と、携帯端末のディスプレイを閲覧可能にする透明部と、携帯端末における電話の発着信を操作するボタンを露出させる切り欠けとを具備することを特徴とする。
【０００７】
同様に、携帯端末を収納するケースであって、携帯端末のディスプレイが配置される面の中央部で、携帯端末設置片とカバー片との２片に２つ折り可能なシートを備え、２つ折りされたシートの間の収納部に携帯端末を保持可能であり、カバー片に、携帯端末の主操作ボタンに呼応する指示体と、携帯端末のディスプレイを閲覧可能にする透明部と、携帯端末における電話の発着信を操作するボタンを閲覧及び操作可能にする透明部とを具備する構成でもよい。
【０００８】
ここで、収納部を、携帯端末の側面を嵌合させる突条を周縁に備えると共に上部が開口した容器状としてもよい。
【０００９】
同様に、収納部を、携帯端末を貼り付ける非移行性の接着剤の塗布体としてもよい。
【００１０】
また、携帯端末設置片とカバー片のいずれか一方の側部端部に、磁石の内装された舌片を備えると共に、携帯端末設置片とカバー片のいずれか他方の側部端部に、舌片を係止する舌片係止部を備え、舌片の折り曲げに伴う舌片と舌片係止部との係合によって、２つ折りされたシートを閉鎖可能として、安定化に寄与させてもよい。
【考案の効果】
【００１１】
本考案によると、２つ折りされたシートに挟んで保持することで、携帯端末の保護を万全に行え、携帯端末にフィットして嵩張らないスタイリッシュな形状でもあり、また、携帯端末の操作や着脱を容易に行える。
【図面の簡単な説明】
【００１２】
【図１】本考案の実施例の携帯端末ケースを開いた状態の内面を示す説明図
【図２】本考案の実施例の携帯端末ケースを開いた状態の外面を示す説明図
【図３】本考案の実施例の携帯端末ケースを閉じ、舌片は開いた状態の背面図
【図４】本考案の実施例の携帯端末ケースを閉じ、舌片を閉じた状態の正面図
【考案を実施するための最良の形態】
【００１３】
以下に、本考案の実施形態を図面に基づいて説明する。ここでは好適な例を挙げて説明するが、本考案は、前記の特許文献など従来公知の技術を援用して適宜設計変更可能である。
【００１４】
図１及び２は、本考案の実施例の携帯端末ケースを開いた状態の内面及び外面を示す説明図であり、図３及び４は、本考案の実施例の携帯端末ケースを閉じ、舌片は開いた状態の背面図と、舌片を閉じた状態の正面図である。
【００１５】
本考案による携帯端末ケースの主部は、シート（１０）で構成される。シート（１０）の素材としては、布や皮や合成樹脂や金属などが使用できる。
シート（１０）の大きさは、収納対象の携帯端末のディスプレイが配置される面の略２倍の面積である。なお、厳密には、収納対象の携帯端末の厚みを加味して、シート（１０）の形状を設定するため、シート（１０）の大きさは、収納対象の携帯端末のディスプレイが配置される面の２倍を超えるが、収納対象の携帯端末が十分薄いものとして、略２倍と記載してある。また、シート（１０）に余白部を設けて、携帯端末を挟まない部分を付けてもよいが、仮に余白部も設けても若干であるので、シート（１０）の大きさは、上記の範囲に収まる。
【００１６】
シート（１０）は、その中央部（１１）の線を軸にして、２つ折り可能であり、携帯端末を保持する側となる携帯端末設置片（１２）と、携帯端末を被覆する側となるカバー片（１３）との２片に区切られる。
図示の例では、収納対象の携帯端末の形状が、厚みが僅かで縦横比およそ１：２の略直方体のため、シート（１０）の形状は略正方形になっている。
【００１７】
２つ折り時に内面となる側の携帯端末設置片（１２）には、携帯端末を着脱自在に固定する収納部（３０）が配置される。
図示の例の収納部（３０）は、携帯端末の側面を嵌合させる突条（３１）を、平板部（３２）の周縁の４辺に備えると共に、上部が開口した容器状である。この容器状の収納部（３０）の素材としては、金属または合成樹脂が好ましい。なお、突条（３１）の配置は、平板部（３２）の周縁の全周にわたって設ける必要はなく、携帯端末を保持できれば、例えば、四隅のみなど、一部分でもよい。
【００１８】
携帯端末の操作スイッチやコネクターに対応する位置では、突条（３１）に切り欠け（３３）が設けてある。また、携帯端末の背面カメラに対応する位置では、平板部（３２）にレンズ用孔（３４）が設けてある。
【００１９】
図示の例では、容器状の収納部（３０）をシート（１０）に接合させて付設したが、収納部（３０）は、携帯端末を貼り付けて固定する非移行性の接着剤の塗布体で構成してもよい。
【００２０】
図１に示した携帯端末設置片（１２）の収納部（３０）に携帯端末を嵌合させ、カバー片（１３）を折って閉じると、図４に示したように、２つ折りされたシート（１０）の間に携帯端末が保持される。
カバー片（１３）には、携帯端末の起動操作など主な制御を司る主操作ボタン（ホームボタン等）の位置を示す目印（１４）と、例えば時刻など携帯端末のディスプレイの一部を閲覧可能にする透明フィルムなどの透明部（１５）と、電話の発着信などを操作するボタンを露出させる切り欠け（１６）とを具備する。目印（１４）としては、外面に設けられた印刷でもよいが、携帯端末の起動操作ボタンを囲うリングなどの造形物であると、触覚で位置を認識できる利点がある。更に、ボタンを露出させる切り欠けで形成してもよい。透明部（１５）としては、携帯端末の操作にも対応可能なタッチパネル用透明導電性フィルムが好ましい。
【００２１】
なお、切り欠け（１６）の代わりに、電話の発着信を操作するボタンを閲覧及び操作可能にする透明部を設けてもよい。
【００２２】
また、携帯端末の受話部及び送話部に対応する位置では、それぞれ受話孔（１７）及び送話孔（１８）がカバー片（１３）に設けてある。なお、受話部や送話部が側部等に設けてあり受話部や送話部のための孔（１８）を設ける必要がない場合は、受話孔（１７）や送話孔（１８）は必ずしも必要ではない。
【００２３】
中央部（１１）には、携帯端末の音量調節スイッチなどの操作スイッチに対応する位置では、シートを薄く加工した薄状部（１９）を設けて操作しやすくしてある。薄状部（１９）を設ける代わりに、切り欠けを設けてもよい。また、ストラップを通すためのストラップ孔（２０）を設けてもよい。
【００２４】
携帯端末設置片（１２）の外面には、図２及び３に示したように、ポケット（４０）が付設してある。ポケット（４０）としては、クレジットカード類の収納に適した形状が好ましい。また、収納部（３０）のレンズ用孔（３４）に対応するレンズ用孔（２１）も設けてある。
【００２５】
携帯端末設置片（１２）の外面の端部には、磁石の内装された舌片（４１）が付設してあり、カバー片（１３）の端部には、金属板が内装してある。これにより、舌片（４１）を折り曲げると、その磁石がカバー片（１３）の金属板に磁着して、２つ折りされたシート（１０）の閉鎖状態が安定化する。なお、金属板は、磁石の携帯端末への影響を抑止する作用も有する。
このような磁着に限らず、舌片（４１）を挿入して保持する環状の舌片係止部を設けたり、マジックテープ（登録商標）等の面ファスナーを設置したりして、２つ折りされたシート（１０）の閉鎖を司ってもよい。
【産業上の利用可能性】
【００２６】
本考案によると、携帯端末の操作や着脱を容易に行えながらも保護を万全に行え、また、携帯端末にフィットするスタイリッシュな形状でもあるため、携帯端末の普及にもつながり、産業上利用価値が高い。
【符号の説明】
【００２７】
１０  シート
１１  中央部
１２  携帯端末設置片
１３  カバー片
１４  主操作ボタン用目印
１５  透明部
１６  切り欠け
１７  受話孔
１８  送話孔
１９  薄状部
２０  ストラップ孔
２１  レンズ用孔
３０  収納部
３１  突条
３２  平板部
３３  切り欠け
３３  平板部
３４  レンズ用孔
４０  ポケット
４１  舌片
【図１】
0003197476.tif 000003
【図２】
0003197476.tif 000004
【図３】
0003197476.tif 000005
【図４】
0003197476.tif 000006